(57)【要約】【課題】一番前の商品が下部が跳ね上がった状態になる虞を低減可能であるため、商品の綺麗な陳列状態を保ち易い商品陳列用フックを提供する。【解決手段】商品陳列用什器の横棒に取り付けられる取付部２と、取付部２から延設されて商品が吊り下げられる棒状のアーム部３とを備え、アーム部３が、取付部２から斜め下前方に延設された傾斜部３１と、傾斜部３１の前端部３１ａから略水平方向かつ前方に延設された制動部３２と、制動部３２の前端部３２ａから斜め上前方に延設された抜止部３３とを備えて構成される商品陳列用フック１。【選択図】図１
0003149151.tif 000002
【実用新案登録請求の範囲】
【請求項１】
商品陳列用什器の横棒に取り付けられる取付部と、前記取付部から延設されて商品が吊り下げられる棒状のアーム部とを備えた商品陳列用フックにおいて、
前記アーム部が、
前記取付部から斜め下前方に延設された下向き傾斜部と、
前記下向き傾斜部の前端部から略水平方向かつ前方に延設された制動部と、
前記制動部の前端部から斜め上前方に延設された上向き傾斜部と、
を備えて構成されることを特徴とする商品陳列用フック。
【請求項２】
合成樹脂で形成されていることを特徴とする請求項１記載の商品陳列用フック。
【請求項３】
前記制動部の上面乃至は上面と両側面との境界部に、凹凸が形成されていることを特徴とする請求項１または２記載の商品陳列用フック。
【請求項４】
前記凹凸が前記制動部の周方向に沿った刻み目状の凹部によって形成されていることを特徴とする請求項３記載の商品陳列用フック。
【請求項５】
前記制動部の前端部の両側面に、それぞれ、第１の凸部が設けられていることを特徴とする請求項１〜４のいずれか一項に記載の商品陳列用フック。
【請求項６】
前記下向き傾斜部の両側面に、それぞれ、前記下向き傾斜部の軸方向に沿って延びる凹溝部または平面部が設けられていることを特徴とする請求項１〜５のいずれか一項に記載の商品陳列用フック。
【請求項７】
前記上向き傾斜部の後面に、第２の凸部が設けられていることを特徴とする請求項１〜６のいずれか一項に記載の商品陳列用フック。
【請求項８】
前記第２の凸部は、複数の凸部分と、前記各凸部分間に設けられた凹部分とを有することを特徴とする請求項７記載の商品陳列用フック。
【請求項９】
前記上向き傾斜部の両側面に、それぞれ、第３の凸部が設けられていることを特徴とする請求項１〜８のいずれか一項に記載の商品陳列用フック。
【請求項１０】
前記取付部が、前後に相対向する板状の対向部と、前記両対向部を連結する連結部とを備えて、前記両対向部間に前記横棒を挟むように構成され、
前記両対向部のうちの前側の対向部の後面の下端部に、第４の凸部が設けられていることを特徴とする請求項１〜９のいずれか一項に記載の商品陳列用フック。
【考案の詳細な説明】
【技術分野】
【０００１】
本考案は、商品陳列用什器に取り付けられて商品を吊り下げて陳列する商品陳列用フックに関する。
【背景技術】
【０００２】
商品陳列用什器に取り付けられて商品を吊り下げて陳列する商品陳列用フックとして、図８（Ａ）に示すように、商品陳列用什器５９に取り付けられるフック部５１と、フック部５１から斜め下前方に延設された吊下部５２と、吊下部５２の前端から斜め上前方に延設された抜止部５３とを備え、吊下部５２に吊り下げられた一番前の商品５４ａが抜き取られると、その後側に吊り下げられた商品５４ｂ〜５４ｆが吊下部５２を滑って順次前側に押し出されるように構成された商品陳列用フック５０において、商品５４ｂ〜５４ｆが吊下部５２の途中に引っ掛かってしまうことを防止するために、商品陳列用フック５０を振動させて商品５４ｂ〜５４ｆを下方に送り出す起振装置６０を設けたものがある（下記特許文献１参照）。
【特許文献１】特開２００１−２７５８００号公報
【考案の開示】
【考案が解決しようとする課題】
【０００３】
しかし、上記従来の商品陳列用フックは、一番前の商品５４が抜き取られて後側の商品５４ｂ〜５４ｆが順次滑り降りたときに、図８（Ｂ）に示すように、新しく一番前になった商品５４ｂが、その後側の商品５４ｃが滑り降りたときの勢いで押されて下部が跳ね上がった状態となり、商品５４ｂ〜５４ｆの陳列状態が綺麗でなくなってしまうという問題があった。
【０００４】
この考案は、上述した問題を解決するものであり、吊り下げられた商品が傾斜部分を滑り降りることにより前方に移動するように構成された商品陳列用フックにおいて、一番前の商品が下部が跳ね上がった状態になる虞を低減可能であるため、商品の綺麗な陳列状態を保ち易い商品陳列用フックを提供することを目的とする。
【課題を解決するための手段】
【０００５】
本考案の商品陳列用フックは、商品陳列用什器の横棒に取り付けられる取付部と、取付部から延設されて商品が吊り下げられる棒状のアーム部とを備えた商品陳列用フックにおいて、アーム部が、取付部から斜め下前方に延設された下向き傾斜部と、下向き傾斜部の前端部から略水平方向かつ前方に延設された制動部と、制動部の前端部から斜め上前方に延設された上向き傾斜部と、を備えて構成されることを特徴とする。
【０００６】
これによれば、下向き傾斜部を滑り降りた商品の勢いが制動部で減少させられるので、一番前の商品がその後側の商品に勢い良く押されることにより下部が跳ね上がった状態になる虞を低減できる。このため、商品の綺麗な陳列状態を保ち易く、人手で商品の陳列状態を直す手間が省ける。
【０００７】
ここで、商品陳列用フックは合成樹脂で形成することが好ましい。金属で形成する場合に比して製作容易であり、下向き傾斜部に吊り下げられた商品が滑り降り易いからである。
【０００８】
また、制動部の上面乃至は上面と両側面との境界部に、凹凸を形成することが好ましい。これによれば、下向き傾斜部を滑り降りた商品の勢いが、凹凸の部分によっていわばブレーキを掛けられて、さらに減少させられるので、一番前の商品がその後側の商品に勢い良く押されることにより下部が跳ね上がった状態になる虞をさらに低減できる。
【０００９】
さらに、凹凸が制動部の周方向に沿った刻み目状の凹部によって形成されていることとすれば、商品のフック部が凹部に入り込むことにより、商品の前面が前方を向き易くなる。このため、人手で商品の陳列状態を直す手間がより省ける。
【００１０】
また、制動部の前端部の両側面に、それぞれ、第１の凸部が設けられていることとすれば、一番前の商品がその後側の商品に押されて第１の凸部より前方に出ようとする力を、第１の凸部により抑制可能であり、一番前の商品の下部が跳ね上がった状態になる虞をさらに低減できる。
【００１１】
また、下向き傾斜部の両側面に、それぞれ、下向き傾斜部の軸方向に沿って延びる凹溝部または平面部が設けられていることが好ましい。これによれば、下向き傾斜部と商品のフック部との間に遊びが生まれるので、商品がスムーズに滑り降るとともに、商品が前面を前方に向けて並び易くなる。このため、商品の綺麗な陳列状態をより保ち易く、人手で商品の陳列状態を直す手間がより省ける。
【００１２】
また、上向き傾斜部の後面に、第２の凸部が設けられていることが好ましい。これによれば、商品を抜き取るときに、商品のフック部が第２の凸部に引っ掛かり、この引っ掛かりを解除するときにアーム部が振動するので、この振動により下向き傾斜部に吊り下げられた商品が略確実に下方に滑り降りることとなる。このため、人手で商品を下方へ送り出す手間が省ける。
【００１３】
さらに、第２の凸部が、複数の凸部分と、各凸部分間に設けられた凹部分とを有することとすれば、商品を抜き取るときに、アーム部に複数回振動を与えることが可能となり、複数回の振動を与えれば、下向き傾斜部に吊り下げられた商品が下方に送り出される確実性が増す。
【００１４】
また、上向き傾斜部の両側面に、それぞれ、第３の凸部が設けられていることとすれば、商品を抜き取るときに商品のフック部が第３の凸部に引っ掛かると、この引っ掛かりを解除するときにアーム部が振動するので、下向き傾斜部に吊り下げられた商品が下方に送り出される確実性が増す。
【００１５】
また、取付部が、前後に相対向する板状の対向部と、両対向部を連結する連結部とを備えて、両対向部間に商品陳列什器の横棒を挟むように構成され、両対向部のうちの前側の対向部の後面の下端部に、第４の凸部が設けられていることとすれば、商品を抜き取るときにアーム部が跳ねても、取付部が横棒から外れてしまう虞を低減できる。
【考案の効果】
【００１６】
本考案の商品陳列用フックによれば、下向き傾斜部に吊り下げられた商品が、下向き傾斜部を滑り降りることにより、前方に移動する。そして、かかる移動が行われたときに、一番前の商品がその後側の商品に押されて下部が跳ね上がってしまう虞を低減できるため、商品の綺麗な陳列状態を保ち易い。
【考案を実施するための最良の形態】
【００１７】
以下、本考案の一実施形態を図面に基づいて説明する。
【００１８】
図１に示すように、商品陳列用フック１（以下、単に「フック１」という。）は、合成樹脂で全体が一体形成され、商品陳列用什器の横棒９（図７−１参照）に取り付けられる取付部２と、取付部２から延設されて商品が吊り下げられる棒状のアーム部３と、取付部２から延設されてカードホルダー８（図７−１参照）が取り付けられる棒状のホルダー部４とを備えている。なお、横棒９は、商品陳列用什器において、水平方向に延設された断面矩形状の棒状部材である。
【００１９】
取付部２は、前後に相対向する矩形板状の対向部、すなわち、前側対向部２１と後側対向部２２とを備えるとともに、前側対向部２１と後側対向部２２とを連結する矩形板状の連結部２３を備えて、図２に示すように、側面視において下向きの略コ字形状とされている。なお、図７−１に示すように、フック１を横棒９に取り付けるとき、前側対向部２１と後側対向部２２との間に横棒９が挟まれる。
【００２０】
また、図２に示すように、前側対向部２１の後面２１ａの下端部には、半球状の第４の凸部２４が設けられている。なお、第１の凸部３６、第２の凸部３７、及び、第３の凸部３８については後述する。詳しくは、図３に示すように、前側対向部２１の後面２１ａは、左右方向における中央部が傾斜面２１ｃとされ、傾斜面２１ｃは、前側対向部２１の前後方向の厚みが下方ほど厚くなるように傾斜して、傾斜面２１ｃの下端部に第４の凸部２４が設けられている。
【００２１】
ホルダー部４は、図２に示すように、前側対向部２１の前面２１ｂから水平方向前方に延設された水平棒状部４１と、水平棒状部４１の前端部から垂直方向上方に延設されたホルダー取付部４２とを備えている。なお、フック１においては、図７−１に示すように、取付部２を横棒９に取り付けた状態における前方、後方、上方、下方を、それぞれ前方、後方、上方、下方とする。
【００２２】
アーム部３は、前側対向部２１の前面２１ｂから斜め下前方に延設された下向き傾斜部３１と、下向き傾斜部３１の前端部３１ａから略水平方向かつ前方に延設された制動部３２と、制動部３２の前端部３２ａから斜め上前方に延設された上向き傾斜部３３とを備えている。なお、本実施形態では、制動部３２は、軸方向が水平方向に対して２°の角度をなして、前端部３２ａが後端部３２ｂよりも若干下がるように傾斜しているが、制動部３２で商品の勢いを減少させるためには、制動部３２の軸方向の角度は、水平方向に対して０〜約４°の範囲であればよい。
【００２３】
図２及び図４に示すように、下向き傾斜部３１の両側面、すなわち、右側面３１ｃと左側面３１ｄには、それぞれ、下向き傾斜部３１の軸方向に沿って凹溝部３４が延設されている。なお、ここでは、前方からフック１に向かって右をフック１の右、フック１に向かって左をフック１の左とするので、図４紙面上の左右とフック１の左右は逆になっている。本実施形態では、凹溝部３４、３４は、下向き傾斜部３１の後端部３１ｂから前端部３１ａ付近まで延設されているが、商品がスムーズに滑り降りるようにするためには、凹溝部３４、３４は、下向き傾斜部３１の大部分にわたって形成されていればよい。
【００２４】
制動部３２は、図５及び図６に示すように、上面３２ｅが平面状とされ、上面３２ｅと制動部３２の右側面３２ｃとの境界部３２ｆ、及び、上面３２ｅと左側面３２ｄとの境界部３２ｇに、それぞれ、多数の凹部３５が形成されることにより、凹凸が形成されている。各凹部３５は、制動部３２の周方向に沿って短く刻まれた刻み目状である。また、制動部３２の前端部３２ａの両側面、すなわち、右側面３２ｃの前端部及び左側面３２ｄの前端部には、それぞれ、半球状の第１の凸部３６が設けられている。
【００２５】
図２に示すように、上向き傾斜部３３の後面３３ａには、第２の凸部３７が設けられている。第２の凸部３７は、３つの凸部分３７ａ、３７ｂ、３７ｃと、２つの凹部分３７ｄ、３７ｅとを有する凹凸状とされている。なお、凹部分３７ｄは凸部分３７ａ、３７ｂ間に、凹部分３７ｅは凸部分３７ｂ、３７ｃ間に設けられている。また、図６に示すように、上向き傾斜部３３の両側面、すなわち、右側面３３ｂ及び左側面３３ｃには、それぞれ、半球状の第３の凸部３８が設けられている。
【００２６】
また、フック１には、図１及び図２に示すように、ホルダー部４の折れ等を防止するために、水平棒状部４１の軸方向中央より少し後ろの上面から、連結部２３の上面を通って後側対向部２２の後面２２ａの上端部に至るまで、板状の補強部５が形成され、水平棒状部４１の軸方向中央より少し前の下面から、前側対向部２１の前面２１ｂを通って下向き傾斜部３１の後端部３１ｂの上面に至るまで、板状の補強部６が形成されている。さらに、下向き傾斜部３１の後端部３１ｂの下方にも、アーム部３の折れを防止するための板状の補強部７が形成されている。
【００２７】
以上のように構成されたフック１の作用について次に説明する。フック１を用いて商品を陳列するときは、図７−１に示すように、ホルダー部４が商品陳列用什器の前方を向くように、取付部２を商品陳列用什器の横棒９に取り付ける。そして、各商品１０のフック部１１をアーム部３に引っ掛けて、商品１０を並べる。なお、各商品１０を区別するために、図７−１の状態で前から順に商品１０ａ、１０ｂ、１０ｃ、１０ｄ、１０ｅ、１０ｆとする。図７−１では、商品１０ａ、１０ｂが制動部３２に、商品１０ｃ〜１０ｆが下向き傾斜部３１に吊り下げられている。なお、フック部１１のアーム部３に接する内周縁１１ａは、通常、円弧状とされている。また、ホルダー部４のホルダー取付部４２（図１参照）には、プライスカード等を収納したカードホルダー８を取り付ける。
【００２８】
商品１０を購入するときには、購入者は、通常、図７−２の矢印に示すように、一番前の商品１０ａを持ち上げる。すると、商品１０ａのフック部１１の内周縁１１ａの上部が第２の凸部３７に引っ掛かるので、購入者は、商品１０ａを上方に持ち上げる力を増加させて、この引っ掛かりを解除する。このとき、アーム部３に加わっていた上方向の力が一気に無くなることから、アーム部３は振動し、この振動により商品１０ｃ〜１０ｆが下向き傾斜部３１を滑って下方に送り出され、商品１０ｃが商品１０ｂを押して前方に移動させて、図７−３のように、商品１０ｂ〜１０ｆが並んだ状態となる。なお、フック１は合成樹脂製で金属よりも弾性を有することから、アーム部３は撓み易く、振動を生じ易い。また、第２の凸部３７は複数の凸部分３７ａ〜３７ｃを有しているので、アーム部３に複数回の振動が起きる場合もある。なお、凸部分３７ａ〜３７ｃは、急激に突出高さが高くなって商品１０の抜き取り易さを損なってしまわないように、突出高さが低、高、低の順とされている。また、フック部１１は第３の凸部３８、３８に引っ掛かる場合もあり、この引っ掛かりを解除するときにも、アーム部３が振動するので、商品１０ｃ〜１０ｆは下方に送り出されるとともに、商品１０ｂは前方に移動する。
【００２９】
なお、商品１０ａを抜き取るときに、フック部１１が第２の凸部３７や第３の凸部３８、３８に引っ掛かることにより、アーム部３が跳ねても、取付部２の前側対向部２１の後面２１ａに設けられた第４の凸部２４（図２参照）が横棒９に引っ掛かるので、取付部２が横棒９から外れてしまう虞は小さい。
【００３０】
また、商品１０ｃ〜１０ｆが下方に送り出されるとき、下向き傾斜部３１に凹溝部３４が設けられていることにより、フック部１１の内周縁１１ａと下向き傾斜部３１との間には遊びがある。このため、アーム部３との摩擦によりフック部１１の動きが規制されてしまうことが少なく、商品１０ｃ〜１０ｆが途中で引っ掛かったり、商品１０ｃ〜１０ｆの前面が斜めを向いてしまったりする虞が低減されて、商品１０ｃ〜１０ｆがスムーズに滑り降りて前面を前方に向けて並び易くなる。
【００３１】
下向き傾斜部３１から下方に送り出された商品１０ｃ〜１０ｆのうち、制動部３２に至った商品１０ｃは、制動部３２が略水平方向に延設されていることから、勢いが減少させられ、商品１０ｃが勢い良く商品１０ｂを押すことにより商品１０ｂの下端部が跳ね上がった状態になってしまう虞が低減される。
【００３２】
また、制動部３２に形成されている凹凸（すなわち、凹部３５の列）が、フック部１１との摩擦を増加させて、滑り降りてきた商品１０の勢いにいわばブレーキを掛けることとなり、商品１０ｃが商品１０ｂを勢い良く押すことにより商品１０ｂの下端部が跳ね上がった状態になってしまう虞はさらに低減される。また、各凹部３５が制動部３２の周方向に沿った刻み目状とされていることにより、フック部１１が凹部３５に入り込んだときに、商品１０の前面が前方を向き易くなる。
【００３３】
さらに、制動部３２に設けられている第１の凸部３６、３６が、一番前の商品１０ｂがその後側の商品１０ｃに押されて第１の凸部３６、３６より前方に出ようとする力を抑制するので、商品１０ｂの下端部が跳ね上がった状態になってしまう虞をさらに低減できる。
【００３４】
以上述べたように、フック１は、下向き傾斜部３１の前端部３１ａから略水平方向かつ前方に延設された制動部３２を有しているので、下向き傾斜部３１を滑り降りた商品１０の勢いが制動部３２で減少させられ、一番前の商品１０ｂがその後側の商品１０ｃに勢い良く押されることにより下部が跳ね上がった状態になってしまう虞を低減できる。
【００３５】
また、制動部３２の上面３２ｅと両側面との境界部３２ｆ、３２ｇに、凹凸が形成されているので、下向き傾斜部３１を滑り降りた商品１０の勢いが、凹凸の部分によっていわばブレーキを掛けられて、さらに減少させられ、一番前の商品１０がその後側の商品１０に勢い良く押されることにより下部が跳ね上がった状態になってしまう虞をさらに低減できる。
【００３６】
また、制動部３２の周方向に沿った刻み目状の凹部３５によって凹凸が形成されているので、商品１０のフック部１１が凹部３５に入り込むことにより、商品１０の前面が前方を向き易くなる。
【００３７】
また、制動部３２の前端部３２ａの両側面に、それぞれ、第１の凸部３６が設けられているので、一番前の商品１０がその後側の商品１０に押されて第１の凸部３６、３６より前方に出ようとする力を、第１の凸部３６、３６により抑制可能であり、一番前の商品１０の下部が跳ね上がった状態になってしまう虞をさらに低減できる。
【００３８】
また、下向き傾斜部３１の両側面３１ｃ、３１ｄに、それぞれ、下向き傾斜部３１の軸方向に沿って延びる凹溝部３４が設けられているので、下向き傾斜部３１と商品１０のフック部１１との間に遊びが生まれ、商品１０がスムーズに滑り降るとともに前面を前方に向けて並び易くなり、人手で商品１０を並べ直す手間が省ける。
【００３９】
また、上向き傾斜部３３の後面３３ａに、第２の凸部３７が設けられているので、商品１０を抜き取るときに、商品１０のフック部１１が第２の凸部３７に引っ掛かり、この引っ掛かりを解除するときにアーム部３が振動して、この振動により下向き傾斜部３１に吊り下げられた商品１０が略確実に下方に滑り降りる。このため、人手で商品を下方へ送り出す手間が省ける。
【００４０】
また、第２の凸部３７は、複数の凸部分３７ａ〜３７ｃと、凹部分３７ｄ、３７ｅとを有するので、商品１０を抜き取るときに、アーム部３に複数回振動を与えることが可能となり、複数回の振動を与えれば、下向き傾斜部３１の商品１０が下方に送り出される確実性が増す。
【００４１】
また、上向き傾斜部３３の両側面３３ｃ、３３ｂに、それぞれ、第３の凸部３８が設けられているので、商品１０を抜き取るときに商品１０のフック部１１が第３の凸部３８、３８に引っ掛かると、この引っ掛かりを解除するときにアーム部３が振動するので、下向き傾斜部３１の商品１０が下方に送り出される確実性を増すことができる。
【００４２】
また、取付部２の前側対向部２１の後面２１ａの下端部に、第４の凸部２４が設けられているので、商品１０を抜き取るときにアーム部３が跳ねても、取付部２が横棒９から外れてしまう虞を低減できる。
【００４３】
また、フック１は合成樹脂製であるので、第１の凸部３６、３６、第２の凸部３７、第３の凸部３８、３８、複数の凹部３５等を有する複雑な形状であっても、鋳型で容易に成形でき、金属製に比して製作容易である。また、下向き傾斜部３１に吊り下げられた商品が滑り降り易い。なお、これらの点を考慮しなければ、フック１を金属製としてもよい。
【００４４】
また、フック１の制動部３２の上面３２ｅは、平面状としなくてもよい。上面３２ｅを平面状とせずフック部１１の内周縁１１ａに接触する形状とした場合には、凹凸を上面３２ｅに付けてもよい。なお、上面３２ｅを平面状とすれば、制動部３２と内周縁１１ａとの接触が減って、商品１０が移動し易い。
【００４５】
また、下向き傾斜部３１の両側面３１ｃ、３１ｄに、凹溝部３４の代わりに、下向き傾斜部３１の軸方向に沿って延びる平面部を設けても、下向き傾斜部３１と商品１０のフック部１１との間に遊びが生まれ、商品１０がスムーズに滑り降るとともに前面を前方に向けて並び易くなる。
【図面の簡単な説明】
【００４６】
【図１】本考案の一実施形態に係る商品陳列用フックの斜視図である。
【図２】同実施形態に係る商品陳列用フックの側面図である。
【図３】同実施形態に係る商品陳列用フックの背面図である。
【図４】図２のIV-IV部位要部断面図である。
【図５】図２のV-V部位要部断面図である。
【図６】同実施形態に係る商品陳列用フックの平面図である。
【図７−１】同実施形態に係る商品陳列用フックの使用状態における斜視図であり、複数の商品を陳列した状態を示す。
【図７−２】図７−１の状態から一番前の商品を抜き取る途中の状態を示す。
【図７−３】図７−２の状態から一番前の商品を抜き取った状態を示す。
【図８】従来の商品陳列用フックの使用状態における側面図であり、（Ａ）は複数の商品を陳列した状態、（Ｂ）は（Ａ）の状態から一番前の商品を抜き取った状態を示す。
【符号の説明】
【００４７】
１…商品陳列用フック
２…取付部
３…アーム部
９…横棒
１０…商品
２１…前側対向部
２２…後側対向部
２３…連結部
３１…下向き傾斜部
３２…制動部
３３…上向き傾斜部
３４…凹溝部
３５…凹部
３６…第１の凸部
３７…第２の凸部
３８…第３の凸部
【図１】
0003149151.tif 000003
【図２】
0003149151.tif 000004
【図３】
0003149151.tif 000005
【図４】
0003149151.tif 000006
【図５】
0003149151.tif 000007
【図６】
0003149151.tif 000008
【図７−１】
0003149151.tif 000009
【図７−２】
0003149151.tif 000010
【図７−３】
0003149151.tif 000011
【図８】
0003149151.tif 000012